(57)【要約】【課題】  ガス充填装置を設けていても、それによる違和感を効果的に抑え得る身体装着体の提供。【解決手段】  ガスを充填することで体積膨脹気嚢３と、気嚢３にガスを充填するためのガス充填装置６を設け、ガス充填装置６は、気嚢３に取付けられる充填装置本体４７と、充填装置本体４７に取付けられてガスを封入したガスボンベ４８とを備え、ガスボンベ４８に封入されたガスを気嚢３に充填するガス充填駆動を行うことで、気嚢３を体積膨脹させる身体装着体であって、充填装置本体４７は、身体の鎖骨よりも下方相当位置で、かつ身体の脇より上方相当位置に位置付けられた構成。【選択図】  図１
2006089016.tif 000002
【特許請求の範囲】
【請求項１】
ガスを充填することで体積膨脹して浮力が付与される気密性の気嚢が設けられ、該気嚢にガスを充填するためのガス充填装置が設けられ、該ガス充填装置は、前記気嚢に取付けられる充填装置本体と、該充填装置本体に取付けられてガスを封入したガスボンベとを備え、該ガスボンベに封入されたガスを前記気嚢に充填するガス充填駆動を行うことで、気嚢を体積膨脹させる身体装着体であって、
前記充填装置本体は、身体の鎖骨よりも下方相当位置で、かつ身体の脇より上方相当位置に位置付けられることを特徴とする身体装着体。
【請求項２】
ガスを充填することで体積膨脹して浮力が付与される気密性の気嚢が設けられ、該気嚢にガスを充填するためのガス充填装置が設けられ、該ガス充填装置は、前記気嚢に取付けられる充填装置本体と、該充填装置本体に取付けられてガスを封入したガスボンベとを備え、該ガス充填装置は、前記充填装置本体に支軸を介して回動自在な操作レバーと、該操作レバーを非回動に保持する保持具とを備え、ガス充填装置は、前記操作レバーの引き操作により前記保持具の保持が解除されて操作レバーが前記支軸を中心に回動することで、前記ガスボンベに封入されたガスを前記気嚢に充填するガス充填駆動を行うよう構成され、
前記操作レバーを引き操作するための索体の操作レバーへの連結部が、前記気嚢を身体に装着した状態で、前記支軸に対して身体の上方に変位した位置で、且つ身体の左右方向外方側に位置付けられることを特徴とする身体装着体。
【請求項３】
気嚢を外装する外装体が設けられ、該外装体の脇部から索体が導出されることを特徴とする請求項２記載の身体装着体。
【請求項４】
外装体の少なくとも充填装置本体対向領域に、伸縮性材料が設けられていることを特徴とする請求項３記載の身体装着体。
【請求項５】
外装体に気嚢およびガス充填装置が内装され、該ガス充填装置は水を検知するセンサ部からの信号により自動的にガス充填駆動を行うよう構成され、前記外装体の下部に該外装体内に水を導入させる導入穴が配設され、該導入穴から導入された水を前記センサ部を通過させるようにして外装体内から抜くための水抜き穴が外装体に設けられていることを特徴とする請求項１記載の身体装着体。
【請求項６】
水抜き穴はセンサ部に対向する領域に配置されていることを特徴とする請求項５記載の身体装着体。
【請求項７】
気嚢は身体胸部から背上部に位置し、該気嚢を身体から前方向に離れる外方から覆って保護する保護部材が設けられ、ガス充填装置は保護部材に対して身体から前方向に離れる外方に配置され、保護部材のガス充填装置に対向する領域が通気性を有していることを特徴とする請求項５または請求項６記載の身体装着体。
【請求項８】
センサ部はガス充填装置の内部に配置され、導入穴はガス充填装置に対向するほぼ直下に相当する領域に配置されていることを特徴とする請求項５乃至請求項７の何れかに記載の身体装着体。
【発明の詳細な説明】
【技術分野】
【０００１】
本発明は、魚釣用フローティングベストや、救命胴衣等の身体装着体に関する。
【背景技術】
【０００２】
従来、海上における救命具として、例えば救命胴衣と呼ばれる身体装着体がある。このような身体装着体では、緊急の救命時に定められた浮力を有することが必要と定められている。このような浮力を得るために、ガスが充填されることで膨脹する気嚢と、気嚢にガスを充填するためのガス充填装置とを備えたものがある（例えば、特許文献１参照）。
【０００３】
この身体装着体では、通常、気嚢には空気が入っておらず偏平な状態にあり、救命時に、身体装着体の背部や前身部に付設されたガス充填装置の操作レバーを索体で引き操作することで気嚢にガスを送り込むと、気嚢が体積膨脹し必要な浮力が得られるようになっている。緊急の救命時にガス充填装置を駆動させる場合、ガス充填装置の操作レバーを索体でもって、身体の下方（足の方）に引き操作することで、操作レバーを非回転に保持している保持ピンを破壊することで行い、これによってガスが気嚢に充填される。また、上記気嚢を装着した別例として、フローティングベストと称されて、磯釣り等に用いられる身体装着体がある。
【特許文献１】特開２００２−３６２４８２号公報
【発明の開示】
【発明が解決しようとする課題】
【０００４】
ところで、磯釣り等では釣人は、さまざまな動作をする。そして、上記従来の身体装着体では、ガス充填装置は気嚢の背部、あるいは前身部である場合は腕に相当する領域に設けられているから、その身体装着体を装着した使用者は、動作が多いとその分だけ違和感を生じ、あるいは、場合によっては邪魔な感覚をもつことすらある。しかし、ガス充填装置は気嚢を体積膨脹させるためには必要な部材であるから省くことは難しい。
【０００５】
そこで本発明は、ガス充填装置を設けていても、それによる違和感を効果的に抑え得る身体装着体の提供を課題とする。
【課題を解決するための手段】
【０００６】
本発明の身体装着体は、ガスを充填することで体積膨脹して浮力が付与される気密性の気嚢が設けられ、該気嚢にガスを充填するためのガス充填装置が設けられ、該ガス充填装置は、前記気嚢に取付けられる充填装置本体と、該充填装置本体に取付けられてガスを封入したガスボンベとを備え、該ガスボンベに封入されたガスを前記気嚢に充填するガス充填駆動を行うことで、気嚢を体積膨脹させる身体装着体であって、前記充填装置本体は、身体の鎖骨よりも下方相当位置で、かつ身体の脇より上方相当位置に位置付けられることを特徴としている。
【０００７】
身体の鎖骨よりも下方相当位置で、かつ身体の脇より上方相当位置は、使用者が身体装着体を装着して、体を動かしても邪魔になりにくい（異物の違和感が少ない）部分であり、したがって、身体装着体にガス充填装着が付設されていたとしても、身体装着体の装着感が良好となる。
【０００８】
本発明の身体装着体は、ガスを充填することで体積膨脹して浮力が付与される気密性の気嚢が設けられ、該気嚢にガスを充填するためのガス充填装置が設けられ、該ガス充填装置は、前記気嚢に取付けられる充填装置本体と、該充填装置本体に取付けられてガスを封入したガスボンベとを備え、該ガス充填装置は、前記充填装置本体に支軸を介して回動自在な操作レバーと、該操作レバーを非回動に保持する保持具とを備え、ガス充填装置は、前記操作レバーの引き操作により前記保持具の保持が解除されて操作レバーが前記支軸を中心に回動することで、前記ガスボンベに封入されたガスを前記気嚢に充填するガス充填駆動を行うよう構成され、前記操作レバーを引き操作するための索体の操作レバーへの連結部が、前記気嚢を身体に装着した状態で、前記支軸に対して身体の上方に変位した位置で、且つ身体の左右方向外方側に位置付けられることを特徴としている。
【０００９】
上記構成のように、操作レバーを引き操作する索体の操作レバーへの連結部を、気嚢を身体に装着した状態で、支軸に対して身体の上方に変位した位置で、且つ身体の左右方向外方側に位置付けることで、使用者が索体を、無理なく自然に腕を伸ばすようにして引き操作するようにすると、操作レバーが身体の外側から内側へ向けて回動することになるから、保持具の保持状態を解除するのに小さな操作力で行い得る。
【００１０】
本発明の身体装着体には、気嚢を外装する外装体が設けられ、該外装体の脇部から索体が導出されることを特徴としている。このように構成することで、使用者は、腕を無理なく自然な方向に伸ばして索体を引き操作すると、引き操作方向が横方向に近い状態となり、操作レバーに対して直交する方向に近い方向に向けて引き操作することが可能となる。このため、操作レバーを回動させる際に、引き操作力を保持具に負荷させることで、この保持具を小さな引き操作力でもって保持解除状態とさせることができるようになり、救命時に容易、且ついっそう確実にガス充填装置を駆動させることができるようになる。
【００１１】
本発明の身体装着体は、外装体の少なくとも充填装置本体対向領域に、伸縮性を有し、且つ弾性を有して保護力のある素材が設けられていることが好ましい。
【００１２】
上記構成において、身体装着体の装着時に、ガス充填装置は身体に対して前方に突出する恰好になる。そして、ガス充填装置に対向する部分に伸縮性の乏しい素材を設けていると、身体の動作によってはその素材によってガス充填装置が身体を押圧することで、違和感を生じることになる。しかし、ガス充填装置に対向する部分に伸縮性に富んだ伸縮性素材（弾性素材）を配置することにより、これがガス充填装置の形状に応じて伸縮して身体を押圧する力を吸収するから、ガス充填装置といった硬質の異物が身体の前にあったとしても、その存在による違和感を効果的に抑えることができ、身体装着体の装着感が良好となる。
【００１３】
本発明の身体装着体は、外装体に気嚢およびガス充填装置が内装され、該ガス充填装置は水を検知するセンサ部からの信号により自動的にガス充填駆動を行うよう構成され、前記外装体の下部に該外装体内に水を導入させる導入穴が配設され、該導入穴から導入された水を前記センサ部を通過させるようにして外装体内から抜くための水抜き穴が外装体に設けられていることを特徴としている。
【００１４】
上記構成によれば、導入穴から外装体内に導入された水は水抜き穴から円滑に抜ける。水はその途中でセンサ部を通過するから、センサ部が確実に水の導入を検知し、その信号がガス充填装置に送られてこれが駆動し、気嚢にガスが充填されて所定の浮力が得られる。
【００１５】
水抜き穴はセンサ部に対向する領域に配置されていることが好ましい。この構成によれば、下部から導入された水がセンサ部に到達し易くなる。
【００１６】
また、気嚢は身体胸部から背上部に位置し、該気嚢を身体から前方向に離れる外方から覆って保護する保護部材が設けられ、ガス充填装置は保護部材に対して身体から前方向に離れる外方に配置され、保護部材のガス充填装置に対向する領域が通気性を有していることが好ましい。
【００１７】
上記保護部材は、周囲の環境によって気嚢が傷付けられるのを保護するものであるため一定の厚みや強度を要する。このため水の流れが遮断され易い材料が使用される。しかし、気嚢を保護する保護部材のガス充填装置に対向する領域に通気性を付与することによりこの部分を水が円滑に通過し、水抜き穴から円滑に外部へ抜ける。
【００１８】
また、センサ部はガス充填装置の内部に配置され、導入穴はガス充填装置に対向するほぼ直下に相当する領域に配置されていることが好ましい。この構成によれば、外装体内に導入された水がセンサ部に到達するまでの距離が短くなり、したがって、水が外装体内に導入されてからガス充填装置が駆動するまでの時間を短くすることができるから、安全性が向上する。
【発明の効果】
【００１９】
本発明によれば、身体装着体にガス充填装着が付設されていたとしても、身体装着体を違和感なく装着することが可能となる。
【発明を実施するための最良の形態】
【００２０】
以下、本発明の実施形態に係る身体装着体を、磯釣り等に好適に用いられるフローティングベストを例に、図面に基づいて説明する。図１はフローティングベストの全体正面図、図２はフローティングベストの右前身頃を開いた図、図３は外装体を省略して気嚢および保護部材を表した装着状態の斜視図である。なお、この図２では、図１に記載しているポケット等を省略している。
【００２１】
フローティングベスト１は、外装体２と、この外装体２に収納された気嚢３と、気嚢３を保護するための保護部材５と、気嚢３内にガス（炭酸ガスが用いられる）を自動的に噴出させるためのガス充填装置６、気嚢３内に空気を人口的に吹き入れるための充填パイプ７を有する。このようなフローティングベスト１は、救命時に、定められた浮力を有する必要があり、そのままの形状で予め浮力が付与されている保護部材５と、体積膨脹することで浮力が付与される気嚢３と併せて、前記定められた浮力を確保するものである。
【００２２】
フローティングベスト１は、身体Ｈに装着する際に、腕Ｈ１を通す腕通し開口８を有しており、この腕通し開口８は、脇Ｈ２および脇下部分（肋骨部分）に相当する領域を開放する形状を有する。外装体２は左前身頃１０、右前身頃１１、後ろ身頃１２を有する。外装体２は左右の前身頃１０，１１と後ろ身頃１２とを連続する肩部１４を有する。左右の前身頃１０，１１は、腹部１０Ａと胸部１０Ｂとを有し、左右の前身頃１０，１１と後ろ身頃１２とは肩部１４を介して連続している。さらに外装体２は、右前身頃１１と後ろ身頃１２とを一体になすウエスト部１５を有する。左右の前身頃１０，１１において、腹部１０Ａ、胸部１０Ｂ、肩部１４は、この順に漸次狭幅になるよう形成されている。
【００２３】
図２に示すように、右前身頃１１の外装体２における裏地の下部の隅部における表地および裏地として扇状のメッシュ生地２ａが用いられ、メッシュ生地２ａは多数の小さな水導入穴９ａを有する。また、右前身頃１１の外装体２における裏地の下部の左右方向略中心位置に、矩形のメッシュ生地２ｂが用いられ、このメッシュ生地２ｂは多数の小さな水導入穴９ｂを有する。右前身頃１１裏の下部（裾）にはハトメ状の水導入穴９ｃが複数個（図では三個）形成されている。右前身頃１１の裏地における充填装置本体４７に対向する領域の下部（直下）は矩形のメッシュ生地２ｄとされている。右前身頃１１の裏地に、縦方向の切込みによる水抜き穴１９ａ，１９ｂが形成されている。これら水抜き穴１９ａ，１９ｂの周囲部はほつれ止め１９ｃ（図１５参照）が施されている。水抜き穴１９ａ，１９ｂが形成される左右方向の領域は、メッシュ生地２ｂの左右幅内に収められている。さらに、図１に示すように、右前身頃１０の表地の下部に、該表地を貫通する小円形のハトメ状の水導入穴１０ａが複数個（図では七個）形成されている。換言すれば、メッシュ生地２ｂ、水導入穴９ｃは、水抜き穴１９ａ，１９ｂ、メッシュ生地２ｄに対して下方に配置されている。
【００２４】
なお、左右前身頃１０，１１の高さ方向中間部および下部の前面には、釣具等を収めるためのポケット１６，１７が、スライド・ファスナ２０によって開閉自在に設けられている。また左前身頃１０、および右前身頃１１の前合わせ部２３，２４同士は、前合わせ部２３，２４に縫着された別のスライド・ファスナ２１によって合わせ分離自在とされている。ウエスト部１５には、メッシュ状の生地が縫着されてなる。前合わせ部２３，２４からその上部に至る裏地として、伸縮性のある生地２９がスライド・ファスナ２２に沿って縫着されている。これは、気嚢３が体積膨脹した際に、その体積膨脹を許容するためである。
【００２５】
外装体２に、気嚢３および気嚢３を保護する保護部材５を収納する収納部２５が形成されている。この収納部２５は、左右前身頃１０，１１から肩部１４、および後ろ身頃１２の上部である連続部（身体の肩甲骨に相当する領域）にわたってＵ字形に形成されている。このような収納部２５は、外装体２を表地２６および裏地２７を左右前身頃１０，１１の周縁部、肩部１４の周縁部、後ろ身頃１２の周縁部、および後ろ身頃１２の高さ方向途中部分で縫着することでもって形成される。このようにすることで、左右の前身頃１０，１１、肩部１４、後ろ身頃１２にわたって連続する収納部２５が形成される。収納部２５の裏地２７として、ナイロン織物などの保護生地を用いて、気嚢３を保護している。後ろ身頃１２のうち収納部２５より下方の領域（肩甲骨相当領域よりも下方に相当）部分は、メッシュ生地３０が用いられている。
【００２６】
外装体２の裏地２７に、収納部２５をの開口３３が形成されている。この開口３３は、前合わせ部２３，２４の縁側の途中から、腹部１０Ａ、胸部１０Ｂ、肩部１４および後ろ身頃１２の上縁部にわたって形成されている。この開口３３はスライド・ファスナ２２によって開閉可能とされている。開口３３の縁部に下当て３４が開口３３に沿って縫着されている。
【００２７】
図４は、気嚢、ガス充填装置、充填パイプおよび保護部材の一部を表した正面図、図５はこれを身体に装着した正面図、図６は図４のＡ−Ａ断面矢視図、図７は身体の肩に掛かった状態の気嚢および保護部材の側面図、図８は同じく断面図、図９は気嚢が膨脹した際の側面断面図、図１０は平面断面図、図１１は保護部材の第二被覆部および気嚢の装着状態を示す正面断面図、図１２はガス充填装置の取付け状態を示す正面図、図１３は側面断面図、図１４は図２におけるＣ−Ｃ断面図、図１５は水抜き穴の部分平面断面図、図１６は後ろ身頃の下部の拡大断面図である。なお図４では、気嚢３を実線で表し保護部材５および気嚢３持上げた状態を仮想腺で表している。図５では逆に、気嚢３を仮想線で表し、保護部材５を実線で表している。
【００２８】
これらの図を参照して、気嚢３は、前記ガスが充填されることで体積膨脹して浮力を付与されるよう気密性を確保し得る材料、例えばポリ塩化ビニル、ナイロン織物にポリウレタンコーティングを施したもの等で形成されており、二枚の気嚢体４０，４０を前後に合わせて周縁を溶着することで形成されている。気嚢３は、身体Ｈの腹部から左右の胸部にそれぞれ位置する左右の胸気嚢部４１，４２、身体の左右の肩部Ｈ３にそれぞれに位置して左右の胸気嚢部４１，４２にそれぞれ連通する左右の肩気嚢部４３，４４、および身体Ｈの背部Ｈ４に位置して左右の肩気嚢部４３，４４間に連通する背気嚢部４５を一体に備えている。左右の胸気嚢部４１，４２どうしは、それぞれ肩気嚢部４３，４４を介して背気嚢部４５に一体に形成され、それぞれの気嚢部４１，４２，４３，４４，４５で形成される浮力発生用空間は連通している。
【００２９】
保護部材５は、エチレンー酢酸塩化ビニル、ポリ塩化ビニル、ポリエチレン等を用いた発泡体から形成されてそれ自体浮力を有する固形式の浮力体５Ａと、その外周をナイロン織物やポリエステル織物等からなる薄手の袋体４６で被覆されな二重構造である。浮力体５Ａは、容易に撓む弾力性（可撓性）を付与されている。
【００３０】
左右の胸気嚢部４１，４２のうち下部４１ａ，４２ａの領域は、身体Ｈに装着した際に、腹部をほぼ前面で左右から覆い、且つ横腹部を途中まで覆うことが可能なほどの左右幅を、それぞれ有する。左右の胸気嚢部４１，４２のうち上部４１ｂ、４は、身体Ｈの左右外側が湾曲するように切欠かれて狭幅形状になりつつ肩気嚢部４３，４４に至る。肩気嚢部４３，４４は、身体Ｈの僧帽筋を覆う程度の左右幅を有している。
【００３１】
フローティングベスト１の通常の使用時では、気嚢３にはガス（空気）が封入されておらず、気嚢３と保護部材５とが重ねられた状態で収納部２５に着脱自在に収納されているものである。前記ガス充填装置６は、右の胸気嚢部４２のうち上部４に配置されている。充填パイプ７は左の胸気嚢部４１のうち上部４１ｂに配置されている。ガス充填装置６は、直方体状の充填装置本体４７と、この充填装置本体４７の上面に螺着されたガスボンベ４８と、充填装置本体４７内の、不図示の駆動部の駆動を操作するための操作レバー５０と、この操作レバー５０を支軸５１回りに回動させる索体５２と、操作レバー５０を非回動に保持する保持ピン５３とを有する。ガス充填装置６を気嚢３に装着した状態で、支軸５１は充填装置本体４７の下部で、且つ身体Ｈの中心に対して外方側に位置される。操作レバー５０の索体５２との連結部５０ｂは、支軸５１より上方側に位置している。充填装置本体４７は、右の胸気嚢部４２と連通路５４を介して連通され、この連通路５４の基端部は充填装置本体４７に連結（連通）され、連通路５４の先端は右の胸気嚢部４２に挿入されて取付け部材５４ａを介して胸気嚢部４２に固定されている。ガスはこの連通路５４を通過して右の胸気嚢部４２から気嚢３全体に充填され、気嚢３が体積膨脹して浮力が付与される。
【００３２】
また、ガス充填装置６は、充填装置本体４７の中（内部）に水を検知するためのセンサ部６ａを有する。センサ部６ａは充填装置本体４７に内装されたセンサ６ｂと、充填装置本体４７に形成されて該充填装置本体４７内に水を導入するための検知用穴６ｃ，６ｃとから構成されている。これら検知用穴６ｃ，６ｃは充填装置本体４７に左右一対で、且つ前面および後ろ面に形成されている。
【００３３】
メッシュ生地２ａ，２ｂによって外装体２の収納部２５と外部とが連通されており、したがってメッシュ生地２ａ，２ｂは収納部２５内への水の導入を許容する。ここで、釣人が海上に投げ出された非常時を考える。このとき、水（海水）がメッシュ生地２ａ，２ｂを介して一気に収納部２５に入り込もうとすると、これまでは、水以前に収納部２５内に存在する空気が邪魔をして、水は収納部２５の上部には到達しにくかった。しかし、本発明の実施形態では、右前身頃１１の裏地に、縦方向の切込みによる水抜き穴１９ａ，１９ｂが形成され、また右前身頃１１の裏地における充填装置本体４７に対向する領域にメッシュ生地２ｄが用いられているから、収納部２５内の空気は水に押されてこれら水抜き穴１９ａ，１９ｂおよびメッシュ生地２ｄの導出穴２ｆから排出され、空気の代わりに水が流れ込むことになる。また、右前身頃１１の表地の下部に、表地を貫通する小円形の水抜き穴１０ａを複数個形成しているから、釣人が水平な姿勢になっても収納部２５内に水が入り易い。
【００３４】
そして、ガス充填装置６の充填装置本体４７に、水を導入する検知用穴６ｃ，６ｃがあり、水は水抜き穴１９ａ，１９ｂから排出されつつ検知用穴６ｃ，６ｃにも至り、検知用穴６ｃ，６ｃから充填装置本体４７内に導入されてセンサ６ｂに接触する。したがって、確実に水がセンサ６ｂに接触してガス充填装置６が駆動し、気嚢３全体に空気が入り込み、気嚢３に浮力が付与され、釣人を海面に浮かせることが可能となる。
【００３５】
水抜き穴１９ａ，１９ｂの形状は特に限定されるものではなく、例えば円形の小穴などであってもよい。また、メッシュ生地２ｄの高さ位置、面積は検知用穴６ｃ，６ｃを含むよう設定してもよい。換言すれば、水抜き穴１９ａ，１９ｂやメッシュ生地２ｂは、検知用穴６ｃ，６ｃを設ける位置に応じて、非常時に検知用穴６ｃ，６ｃに水が入り易くなる位置に配置すればよい。
【００３６】
なお図示しないが、雨天時に水抜き穴１９ａ，１９ｂやメッシュ生地２ｄから水が収納部２５内に進入してセンサ６ｂがこれを検知してしまうことが考えられるから、水抜き穴１９ａ，１９ｂやメッシュ生地２ｄを開閉自在に覆うような雨除け部材を裏地に設けることが考えられる。
【００３７】
ところで、前記充填パイプ７は、パイプ本体７ａの基部が左の胸気嚢部４１の上部４１ｂに挿入されることでパイプ本体７ａが胸気嚢部４１に連通され、胸気嚢部４１の内方で取付け部７ｂを介して胸気嚢部４１のうち上部４１ｂに取付けられている。パイプ本体７ａの先端には、着脱自在なキャップ７ｃが設けられている。使用者は非常時にこのキャップ７ｃを取外して空気を左の胸気嚢部４１から吹き込むことで、気嚢３全体に空気が入り込み、気嚢３に浮力が付与される。
【００３８】
ここで、特に、充填装置本体４７を取付ける上部とは、フローティングベスト１（気嚢３）を身体Ｈに装着した際、鎖骨Ｓよりも下方で、かつ身体Ｈの脇Ｈ２より上方の位置であることが好ましい。この位置は、磯釣り等を行うときに釣人が体を動かしても邪魔になりにくい（異物の違和感が少ない）部分であるからである。
【００３９】
保護部材５は、身体Ｈから前後方向（胸背方向）に離れる方向の外方から気嚢３を覆う第一被覆部５５と、第一被覆部５５から身体左右方向に延長されて、気嚢３の体積膨脹時に気嚢３を身体Ｈの左右方向外方（左右両肩方向外方）から覆う第二被覆部５６とを有する。
【００４０】
第一被覆部５５は、気嚢３の左右の胸気嚢部４１，４２を覆う胸気嚢被覆部５７，５８と、気嚢３の左右の肩気嚢部４３，４４を覆う肩気嚢被覆部６０，６１と、背気嚢部４５を覆う背気嚢被覆部６２とから一体に構成されている。つまり、第一被覆部５５は、これを気嚢３の前記外方に重ねて対向させた際に、気嚢３の概略形状に沿う形状を有している。さらに、気嚢３の外方に重ねて対向させた際に気嚢３の面積に比べて広い面積となるよう形成されている。特に胸気嚢部４１，４２を覆う胸気嚢被覆部５７，５８の左右幅は、他の被覆部６０，６１，６２に比べると気嚢部４１，４２，４３，４４，４５との差は大きくなるよう設定されている。このように、第一被覆部５５を気嚢３の面積に比べて広い面積に形成することにより、気嚢３の保護が確実になる。特に、胸気嚢部４１，４２は面積が他の気嚢部分に比べて大きいため、これに対応する胸気嚢被覆部５７，５８を大きくすることで、胸気嚢部４１，４２の体積膨脹に伴う保護が可能となる。
【００４１】
第二被覆部５６は、肩気嚢部４３，４４および背気嚢部４５に対して側方に突出可能に設けられている。第一被覆部５５と第二被覆部５６の境界部は、前記袋体４６が縫着された縫着部６３を介して分離され、第一被覆部５５と第二被覆部５６にはそれぞれ別個の浮力体５５Ａ，５５Ｂが内装されている。図１０および図１１に示すように、第二被覆部５６は、肩気嚢部４３，４４および背気嚢部４５を、常態（気嚢３にガスが充填されていない通常の使用状態）において被覆している。この場合、縫着部６３で折れることで第二被覆部５６が人体Ｈ側に位置するように被覆している。なお、気嚢３および保護部材５は左右対称形状なので、図１０および図１１では、左右のうち一方を表し、符号を付している。
【００４２】
第二被覆部５６は、縫着部６３を中心に折り曲げず伸長させた状態（図３、図４、図５）では、身体Ｈの肩部のうち、特に鎖骨Ｓ辺りから三角筋に相当する部分、肩甲骨の外側領域辺りまで、ほぼ同一の幅をもって延長されるよう形成されている。さらに、第二被覆部５６において、身体Ｈの肩頂部に相当する部分に前記縫着部６３と直交する方向の別の縫着部６４が形成され、第二被覆部５６の前側と後ろ側とで分離することにより、第二被覆部５６の前側と後ろ側とに別個の浮力体が設けられている。ところで、索体５２を引き操作することでガス充填装置６から気嚢３にガスが充填される。このように、非常時にガスが気嚢３に充填されると、気嚢３は人体Ｈに保持されているから外方に向かって膨出（膨らむ）するよう体積膨脹する。気嚢３が体積膨脹すると、第二被覆部５６は収納部２５にあって外装体２で移動を制限されるから、第二被覆部５６は撓みながら人体Ｈから側方へ向かって離れ、気嚢３の体積膨脹に伴って、縫着部６３を中心に外方へ広がる状態となって、肩気嚢部４３，４４および背気嚢部４５を外方から覆い、保護するようになる。
【００４３】
ところで、気嚢３が体積膨脹し、上記のように第二被覆部５６が肩気嚢部４３，４４および背気嚢部４５を外方から覆った状態でも、第一被覆部５５と第二被覆部５６の袋体４６の境界部に縫着部６３を設け、袋体４６は薄手であることから、第二被覆部５６が第一被覆部５５に対してフリーの動作を行い得る。さらに、身体Ｈの肩頂部に相当する部分に前記縫着部６３と直交する方向の別の縫着部６４を設けて、第二被覆部５６の前側と後ろ側とで分離することにより、第二被覆部５６の前側と後ろ側とが互いにフリーの動作を行い得る。このように、第二被覆部５６が第一被覆部５５に対してフリーの動作を行い得、且つ第二被覆部５６の前側と後ろ側とを互いにフリーな状態とさせることで、非常時にフローティングベスト１を装着しいても腕の動作に負担をかけ、あるいは第二被覆部５６があるがゆえの動き難さを効果的に抑制することができ、且つ気嚢３を障害物との衝突から保護することが可能となり、気嚢３の必要な浮力を確保することができる。
【００４４】
そして、このような第二被覆部５６は、気嚢３の体積膨脹時であっても少なくとも左右の肩気嚢部４３，４４を側方から覆うだけの面積や幅を有することが好ましい。しかしそうであっても、第二被覆部５６が第一被覆部５５に対してフリーの動作を行い得、且つ第二被覆部５６の前側と後ろ側とを互いにフリーな状態とさせることで、腕の動作に負担をかけたり、第二被覆部５６があるがゆえの違和感を生じさせたりすることを効果的に抑制することができる。
【００４５】
この実施形態のフローティングベスト１では、上記のように、外装体２に収納部２５を設け、気嚢３および保護部材５を収納部２５に収納して、磯釣り等に装着して用いる通常の状態では気嚢３にはガスが充填されておらず、気嚢３は偏平な形状である。そして、気嚢３内にガスを充填することで気嚢３は体積膨脹するが、このとき気嚢３は収納部２５内で体積膨脹し、外部へ露出することがない。そして、気嚢３の体積膨脹（変形）とともに、収納部２５も変形することになり、気嚢３は、まず外装体２によって保護される状態となる。
【００４６】
ところで非常時では、上記のようにして気嚢３にガスあるいは空気を入れて気嚢３が体積膨脹するとき、身体Ｈは水面にある。このとき、身体Ｈの胴の側方には通常、腕Ｈ１が位置し気嚢３の体積膨脹時には、左右の胸気嚢部４１，４２は保護され易い。これに対し、特に身体Ｈの肩Ｈ３部分では上方にも側方にも保護するものがない。したがって、磯場などで釣人が水面にあったときでは、フローティングベスト１は浮力を有しているから水面上方へ浮上する力が働き、人体Ｈから離れ易い。そして一般に、岩等で損傷を受け易いのは左右の肩気嚢部４３，４４や背気嚢部４５であるといえる。そして肩気嚢部４３，４４や背気嚢部４５が岩等で損傷させられると、気嚢３の内部のガスが漏れ、浮力が得られなくなる。また、気嚢３は体積膨脹時の方が、ガスが未注入の場合に比べて、損傷を受ける面積が大きくなる。
【００４７】
しかし、この実施形態では、保護部材５の面積を気嚢３の面積よりも大きくしており、特に第二被覆部５６を、肩気嚢被覆部６０，６１および背気嚢被覆部６２に対して側方に大きく突出延長可能に設けていることにより、気嚢３の体積膨脹時においても左右の肩気嚢部４３，４４や背気嚢部４５を充分に覆うだけの面積を付与していることで、外部側方からの損傷から、肩気嚢部４３，４４や背気嚢部４５を保護することができる。したがって、フローティングベスト１の使用時、特に非常時の信頼性を向上させることができる。
【００４８】
さらに、気嚢３が体積膨脹して浮力が付与された際、気嚢３のみが収納部２５に収納されていたとすると、その浮力によって気嚢３が単独的に浮上し易い状態となる。しかし、気嚢３に重ねて保護部材５を、着脱手段によって離脱させない構成としており、また保護部材５の面積を気嚢３の面積よりも大きくし、特に第二被覆部５６を、肩気嚢被覆部６０，６１および背気嚢被覆部６２に対して側方に大きく突出延長するよう設けていることにより、気嚢３が単独的に浮上してしまうといった状態を回避することができる。
【００４９】
左右の胸気嚢部４１，４２のうち下部４１ａ，４２ａの領域は、身体Ｈに装着した際に、腹部をほぼ前面で左右から覆い、且つ横腹部を途中まで覆うもので、腹部の後方で連続させていない構成としている。このように腹部の後方での浮力を付与する部分を設けず、背気嚢部４５によって背側で身体Ｈに対して浮力を付与することで、水面での身体Ｈを安全な好ましい浮力姿勢、すなわち、水面で身体Ｈの頭部側を浮上させる姿勢とすることが可能となる。なお、左右の胸気嚢部４１，４２を腹部の後方で連続させていない構成としていることで、その分だけコストの低減が可能となるとともに、気嚢３の体積膨脹時であってもフローティングベスト１の脇部分を人体Ｈにフィットさせることが可能となる。また、左右の胸気嚢部４１，４２と背気嚢部４５とを左右の肩気嚢部４３，４４で連通して気嚢３を一体とすることで、ガス充填装置６を複数設ける必要がない。
【００５０】
第一被覆部５５の右側の胸気嚢被覆部５８に、ガス充填装置６の連通路５４に挿通する切欠６５が形成されている。この切欠６５は、第二被覆部５６よりも下方に位置して、胸気嚢被覆部５７，５８の側部の縁部に対してほぼ直交する方向に形成されている。この切欠６５も袋体４６の一部で被覆されている。気嚢３に保護部材５を重ねるとき、ガス充填装置６の充填装置本体４７と気嚢３との間に、保護部材５が挿入されるように、切欠６５に連通路５４を挿通するようにする。このようにすることで、身体Ｈに気嚢３および保護部材５を介してガス充填装置６が配置されるようになる。
【００５１】
気嚢３と保護部材５とを着脱自在に重ね合わせるための着脱手段６６が設けられている。この着脱手段６６として、例えば気嚢３と保護部材５（袋体４６）との合わせ面どうしに取付けた複数のホック７０等が用いられる。このホック７０の配置として、例えば気嚢３と保護部材５の周縁隅部や周縁途中に複数箇所設けることが好ましい。さらに、保護部材５を外装体２の収納部２５に着脱するための着脱手段６７が設けられている。この着脱手段６７として、例えば収納部２５を形成する生地と保護部材５（袋体４６）との合わせ面に取付けた複数のホック７１等が用いられる。なお、これらホック７０，７１は、例えば互いに着色を変えることで、使用者は迷う（間違う）ことなく、気嚢３と保護部材５どうし、あるいは保護部材５を外装体２とを取付けることができる。
【００５２】
気嚢３と保護部材５は、着脱手段６６によって重ねるようにして取付けた状態で、ガス充填装置６、および充填パイプ７とともに収納部２５に収納される。このとき、スライド・ファスナ２２を操作して開口３３を解放しておき、気嚢３と保護部材５を収納部２５に置くようにするとともに、保護部材５を着脱手段６７のホック７１によって収納部２５に留め、スライド・ファスナ２２を閉じるようにすることで、気嚢３と保護部材５とは、収納部２５に確実に保持される。スライド・ファスナ２２の開閉を行う際、開口３３の縁部に下当て３４が開口８に沿って縫着されているから、開口３３側にある気嚢３をスライド・ファスナ２２で挟んでしまって損傷させてしまうといった状態を回避できる。さらに、気嚢３は扁平でその形状が定まらないが、保護部材５は固形式の浮力体を有して形状は留まり易いから、気嚢３と保護部材５を一体とすることで、気嚢３を収納部２５に収納し易く、作業性が向上する。
【００５３】
磯釣り等に用いるエサなどによりフローティングベスト１が汚れて洗濯を行う場合、気嚢３および保護部材５を収納部２５に収納したまま行うことは好ましくないから、気嚢３と保護部材５を収納部２５から取外すことが必要である。この場合、スライド・ファスナ２２を操作して開口３３を開放し、保護部材５を着脱手段６７のホック７１を外すことによって、気嚢３および保護部材５を容易に収納部２５から取外すことができる。気嚢３と保護部材５とを分離する場合では、着脱手段６６のホック７０を取外すことで、容易に行い得る。気嚢３や保護部材５を交換する場合にも、同様にホック７０，７１を取外すことで容易に行い得る。
【００５４】
外装体２の左前身頃１０の上部から後ろ身頃１２にかけて、また、右前身頃１１の上部から後ろ身頃１２にかけての部分に、多方向の伸縮性に富んだ伸縮性生地７２、例えばクロロプレン（商品名：ネオプレン）が用いられている。このように、左前身頃１０の上部に伸縮性生地７２を設けることで伸縮性生地７２を充填パイプ７に対向させ、伸縮性生地７２を右前身頃１１の上部に設けることで、伸縮性生地７２をガス充填装置６に対向させている構成を有する。
【００５５】
外装体２の左前身頃１０の上部から後ろ身頃１２にかけて、また、右前身頃１１の上部から後ろ身頃１２にかけての部分に、多方向の伸縮性に富んだ伸縮性生地７２、例えばクロロプレンやポリウレタンゴムを織り込んだ織物等が用いられている。このように、左前身頃１０の上部に伸縮性生地７２を設けることで伸縮性生地７２を充填パイプ７に対向させ、伸縮性生地７２を右前身頃１１の上部に設けることで、伸縮性生地７２をガス充填装置６に対向させている構成を有する。
【００５６】
なお、伸縮性生地７２，７３の表側にリフレクターと称される反射材７４が、伸縮性生地７２，７３の伸縮性を妨げないよう、左右の前身頃１０，１１の縁部に縫着されている。このような反射材７４の光反射によって、使用者（身体Ｈ）の存在が強調されることになるとともに、外観的に優れたフローティングベスト１となっている。
【００５７】
外装体２（収納部２５を形成する表地）の一部、すなわちフローティングベスト１の腕通し開口８の縁部で、脇Ｈ２のやや下方に位置する辺りに、切込み７５が形成されている。そして、ガス充填装置６の操作レバー５０を支軸５１回りに回動させる索体５２が前記切込み７５から導出されて、その先端に索体５２を引き降ろす際に使用者が握る握り部７６が連結されている。このような切込み７５の位置から索体５２を導出することで、次のような作用効果が得られる。
【００５８】
ガス充填装置６は、上記のように鎖骨Ｓよりも下方で、かつ身体Ｈの脇Ｈ２より上方に位置させていることから、索体５２、操作レバー５０および支軸５１の関係において、索体５２を引き操作する際の力の作用点が、ガス充填装置６を例えば身体Ｈの背等に配置した場合に比べて、近い位置になっている。このように力点から作用点までの距離を短くしたことにより、途中に索体５２の移動を邪魔するものが少なくなるから、その分だけ索体５２を引き操作するための操作力を減らすことができ、索体５２の引き操作がし易くなる。
【００５９】
さらに、操作レバー５０の支軸５１は、充填装置本体４７の下部で、且つ身体Ｈの中心の外方側部位に位置しており、図１２において反時計方向に回動させるように操作するものであるから、例えば索体５２を引き操作する際、握り部７６を握って腕Ｈ１を無理なく自然な方向に伸ばすことで、索体５２の引き操作方向Ｐが横方向に近い状態となり、操作レバー５０の本体５０ａに対して直交する方向に近い方向に向けて引き操作することが可能となる。このため、操作レバー５０を回動させる際に、引き操作力を、操作レバー５０を非回動に保持する保持ピン５３に負荷させることで、この保持ピン５３を小さな引き操作力でもって破壊させることができるようになり、救命時に容易、且ついっそう確実にガス充填装置６を駆動させることができるようになって、フローティングベスト１の信頼性を向上させることができる。
【００６０】
さらに、切込み７５の位置は、握り部７６を、使用者が目視で確認しなくても、腕Ｈ２を曲げればすぐに探り当てることのできる位置であり、この位置に握り部７６を設置しておくことで、非常時に握り部７６を容易に探り当て、索体５２を引き操作することができる。
【００６１】
外装体２に収納部２５を設け、気嚢３および保護部材５を収納部２５に収納しており、磯釣り等に装着して用いる通常の状態では気嚢３にはガスが充填されておらず、したがって気嚢３は偏平な形状であり、且つ気嚢３は、左右の胸気嚢部４１，４２、左右の肩気嚢部４３，４４、および背気嚢部４５のみからなり、保護部材５は、第一被覆部５５、および第二被覆部５６のみからなり、できるだけ小さい面積の気嚢３および保護部材５としている。このため横腹からその後方部分は外装体２の生地のみで構成することができる。つまり、気温の高いときの釣行でも使用者が暑苦しさを感じることを抑制することができる。特に、後ろ身頃１２の下部をメッシュ生地で構成するようにしているので、いっそう効果的に暑苦しさを感じる状態を回避することがでる。
【００６２】
上記実施形態では、気嚢３と保護部材５とを着脱自在な構成としたが、これに限定されることなく、気嚢３と保護部材５とを一体に設けて組品とし、この組品を着脱手段によって収納部２５に着脱可能に構成することもできる。さらに、交換、洗濯などのメンテナンス性はないが、気嚢３と保護部材５とを一体に設けた組品を、収納部２５に一体に装着する構成とすることも勿論可能である。
【００６３】
さらに、上記実施形態では気嚢３と保護部材５は外装体２に外装したフローティングベスト１としたがこれに限定されず、気嚢３と保護部材５を一体とした形式のフローティングベストであっても適用可能である。また、上記実施形態では、第二被覆部５６は、肩気嚢被覆部６０，６１および背気嚢被覆部６２に設けたがこれに限定されず、可能であれば、左右の胸気嚢部４１，４２にも設けることも考えられる。
【００６４】
上記実施形態では、保護部材５の右側の胸気嚢被覆部５８には一枚もの浮力体５Ａを設けたがこれに限定されず、図１７および図１８に示すように、例えば浮力体５Ａを上下別の浮力体５Ｂ，５Ｃから構成し、これら浮力体５Ｂ，５Ｃを別の袋体４６Ａ，４６Ｂで被覆し、袋体４６Ａ，４６Ｂ間をメッシュ生地５Ｄ（ダブルラッセル）で連設するようにし、このメッシュ生地５Ｄにガス充填装置６の連通路５４に挿通する切欠６５を形成するようにしてもよい。このメッシュ生地５Ｄを設ける領域は、充填装置本体４７に対向する部分、若しくは充填装置本体４７に対向する領域を含むことが好ましく、且つ裏地のメッシュ生地２ｄに対向する領域を含むことが好ましい。このように構成することにより、非常時に収納部２５に入り込んだ水の水抜け性が向上するため、より確実にガス充填装置６が駆動させることが可能となる。
【図面の簡単な説明】
【００６５】
【図１】本発明の実施形態を示すフローティングベストの全体正面図。
【図２】同じくフローティングベストの右前身頃を開いた図。
【図３】同じく外装体を省略して気嚢および保護部材を表した装着状態の斜視図。
【図４】同じく気嚢、ガス充填装置、充填パイプおよび保護部材の一部を表した正面図。
【図５】同じくこれを身体に装着した正面図。
【図６】同じく図４のＡ−Ａ断面矢視図。
【図７】同じく身体の肩に掛かった状態の気嚢および保護部材の側面図。
【図８】同じく断面図。
【図９】同じく気嚢が膨脹した際の側面断面図。
【図１０】同じく平面断面図。
【図１１】同じく保護部材の第二被覆部および気嚢の装着状態を示す正面断面図。
【図１２】同じくガス充填装置の取付け状態を示す正面図。
【図１３】同じく側面断面図。
【図１４】同じく図２におけるＣ−Ｃ断面矢視図。
【図１５】同じく水抜き穴の拡大平面断面図。
【図１６】同じく図２における部分拡大図。
【図１７】別の実施形態を示す気嚢、ガス充填装置、充填パイプおよび保護部材の一部を表した正面図。
【図１８】同じく一部拡大正面図。
【符号の説明】
【００６６】
１…フローティングベスト、２…外装体、２ａ…メッシュ生地、２ｂ…メッシュ生地、２ｄ…メッシュ生地、３…気嚢、５…保護部材、６…ガス充填装置、６ｂ…センサ、６ｃ…検知用穴、９ａ…水導入穴、９ｃ…水導入穴、１０…左前身頃、１０Ａ…腹部、１０Ｂ…胸部、１１…右前身頃、１２…後ろ身頃、１４…肩部、１９ａ…水抜き穴、１９ｂ…水抜き穴、２５…収納部、４１，４２…胸気嚢部、４７…充填装置本体、４８…ガスボンベ、５０…操作レバー、５２…索体、５３…保持ピン、５４…連通路、５５…第一被覆部、５６…第二被覆部
【図１】
2006089016.tif 000003
【図２】
2006089016.tif 000004
【図３】
2006089016.tif 000005
【図４】
2006089016.tif 000006
【図５】
2006089016.tif 000007
【図６】
2006089016.tif 000008
【図７】
2006089016.tif 000009
【図８】
2006089016.tif 000010
【図９】
2006089016.tif 000011
【図１０】
2006089016.tif 000012
【図１１】
2006089016.tif 000013
【図１２】
2006089016.tif 000014
【図１３】
2006089016.tif 000015
【図１４】
2006089016.tif 000016
【図１５】
2006089016.tif 000017
【図１６】
2006089016.tif 000018
【図１７】
2006089016.tif 000019
【図１８】
2006089016.tif 000020